(57)【要約】      （修正有）【課題】自分史を作成する作業を通じて、効果的に認知症の予防及び抑制の対策を実現する冊子を提供する。【解決手段】冊子１０は、表紙１１及び５枚の紙葉１２が綴じられた冊子である。各紙葉１２は、紙媒体と、紙媒体の上に配置された第１印刷層と、紙媒体又は第１印刷層の上に配置され、且つ、第１印刷層の全体を被覆する第２印刷層と、を有している。第１印刷層は、着色されたインク層である。第１印刷層は、自分史を記入するための質問回答欄及び自由記入欄、及び、絵画又は写真である画像部分の少なくとも一方を含む。第２印刷層は、マイクロカプセル化されたアロマオイルを含む透明のインク層である。【選択図】図２
2018158565.tif 000002
【特許請求の範囲】
【請求項１】
複数の印刷物が綴じられた冊子であって、
上記各印刷物は、
紙媒体と、
上記紙媒体の上に配置された第１印刷層と、
上記紙媒体又は上記第１印刷層の上に配置され、且つ、上記第１印刷層の全体を被覆する第２印刷層と、を有しており、
上記第１印刷層は、自分史を記入するための記入欄部分を含む着色されたインク層であり、
上記第２印刷層は、マイクロカプセル化されたアロマオイルを含む透明のインク層である冊子。
【請求項２】
上記第２印刷層は、上記紙媒体の全面を被覆している請求項１に記載の冊子。
【請求項３】
上記アロマオイルの成分は、ローズマリー、レモン、ラベンダー、及びオレンジスイートの少なくとも１つを含んでいる請求項１又は２に記載の冊子。
【請求項４】
上記アロマオイルの成分は、ローズマリーの一種であるローズマリーカンファー及びレモンを濃度が２対１の比率で含まれている請求項３に記載の冊子。
【請求項５】
上記アロマオイルの上記マイクロカプセル化は、コアセルベーション法により行われている請求項１から４のいずれかに記載の冊子。
【請求項６】
上記第１印刷層は、人生状況に対応する絵画又は写真である画像部分を更に含み、
上記複数の印刷物によって構成された複数の頁の少なくとも一部において、見開き一方側の頁には上記記入欄部分が配置されており、見開き他方側の頁には上記画像部分が配置されている請求項１から５のいずれかに記載の冊子。
【請求項７】
上記第１印刷層は、人生状況に対応する絵画又は写真である画像部分を更に含み、
上記記入欄部分は、人生の段階及び人生の出来事の少なくとも一方を含む人生状況毎に、上記人生状況に対応する質問文が記載されたものである請求項１から６のいずれかに記載の冊子。
【請求項８】
上記冊子は、上記各印刷物が上記冊子から取り外し可能な程度に上記複数の印刷物が糊付けされることによって綴じられたものである請求項１から７のいずれかに記載の冊子。
【請求項９】
紙媒体と、
上記紙媒体の上に配置された第１印刷層と、
上記紙媒体又は上記第１印刷層の上に配置され、且つ、上記第１印刷層を被覆する第２印刷層と、を有しており、
上記第１印刷層は、自分史を記入するための記入欄部分を含む着色されたインク層であり、
上記第２印刷層は、マイクロカプセル化されたアロマオイルを含む透明のインク層である印刷物。
【請求項１０】
上記第２印刷層は、上記第１印刷層のうちの上記記入欄部分のみを被覆している請求項９に記載の印刷物。
【請求項１１】
複数の上記印刷物を綴じるための穴が少なくとも一つ形成されている請求項９または１０に記載の印刷物。
【請求項１２】
上記記入欄部分は、上記紙媒体の見開き右側または左側の一方に配置されている請求項９から１１のいずれかに記載の印刷物。
【請求項１３】
上記アロマオイルの成分は、ローズマリーの一種であるローズマリーカンファー及びレモンを濃度が２対１の比率で含まれている請求項９から１２のいずれかに記載の印刷物。
【請求項１４】
請求項９から１３のいずれかに記載の印刷物が複数パッケージングされた印刷物セット。
【発明の詳細な説明】
【技術分野】
【０００１】
本発明は、複数の印刷物が綴じられた冊子、１枚の印刷物、当該印刷物が複数パッケージングされた印刷物セットに関する。
【背景技術】
【０００２】
従来より、自分の履歴に関する事項を記入して自分史を作成するための冊子が知られている（例えば、特許文献１参照）。この冊子には、自分史の部分として、自分の履歴、家系、年表、思い出、出逢いが記載される。また、エンディング部として、死亡時に知らせて欲しい人達の住所録、自分からのメッセージ、葬儀についての希望事項、財産目録が記載される。
【先行技術文献】
【特許文献】
【０００３】
【特許文献１】特開２００８−１７３８５４号公報
【発明の概要】
【発明が解決しようとする課題】
【０００４】
近年、日本は超高齢化社会を迎えており、認知症高齢者と軽度認知障害者の数は、２０１５年の統計で約８６０万人（厚労省調べ）といわれるほど、認知症は今や大きな社会問題となっている。高齢社会において、認知症は避けられない問題であり、介護者や家族が個別に対処していくには限界がある。
【０００５】
本願発明者は、自分史を作成する対象者が一般に高齢者であることに着目した。そして、高齢者が冊子を用いて自分史を作成する作業を、認知症の予防及び抑制の対策に活用することに思い至った。ところが、自分史の作成だけでは、文章を書くことや昔を思い返すことにより脳の活性化に一定の効果が得られるが、認知症の予防には限界がある。
【０００６】
本発明は、前述された事情に鑑みてなされたものであり、その目的は、冊子や印刷物を用いて自分史を作成する作業を通じて、効果的に認知症の予防及び抑制の対策を実現することである。
【課題を解決するための手段】
【０００７】
(1)  本発明に係る冊子は、複数の印刷物が綴じられた冊子であって、上記各印刷物は、紙媒体と、上記紙媒体の上に配置された第１印刷層と、上記紙媒体又は上記第１印刷層の上に配置され、且つ、上記第１印刷層の全体を被覆する第２印刷層と、を有しており、上記第１印刷層は、自分史を記入するための記入欄部分を含む着色されたインク層であり、上記第２印刷層は、マイクロカプセル化されたアロマオイルを含む透明のインク層である。
【０００８】
上記構成によれば、第１印刷層の上に第２印刷層が配置されているので、ユーザが記入欄部分に自分史を記載するときに当該記入欄部分の上に配置された第２印刷層に、ユーザの手指又は腕が触れる。その結果、第２印刷層内のマイクロカプセルが破壊されて、アロマオイルが放出される。アロマオイルの香りが、匂いを感じる嗅細胞及び記憶を司る海馬を活性化する。したがって、記入欄部分に文章を書くことによって脳が活性化されるだけでなく、その際に放出されるアロマオイルの香りによって嗅細胞及び海馬が活性化されるので、効果的に認知症の予防及び抑制の効果が得られる。また、アロマオイルがマイクロカプセル化されているので、冊子が使用されない状態でアロマオイルが放出されることがない。したがって、冊子を用いて自分史を作成する作業が長期間に亘っても、アロマオイルの香りによる効果が継続して得られる。
【０００９】
(2)  好ましくは、上記第２印刷層は、上記紙媒体の全面を被覆している。
【００１０】
上記構成によれば、冊子を構成する印刷物のどの部位にユーザが触れても、アロマオイルが放出される。したがって、より効果的に認知症の予防及び抑制の効果が得られる。
【００１１】
(3)  好ましくは、上記アロマオイルの成分は、ローズマリー、レモン、ラベンダー、及びオレンジスイートの少なくとも１つを含んでいる。
【００１２】
上記構成によれば、上記アロマオイルが、認知症の予防の可能性がある成分を含んでいるので、より効果的に認知症の予防の効果が得られる。
【００１３】
(4)  上記アロマオイルの成分は、ローズマリーの一種であるローズマリーカンファー及びレモンを濃度が２対１の比率で含まれている。
【００１４】
上記構成によるローズマリーカンファーとレモンのブレンド比率のアロマオイルが使用されることによって、認知症に対する効果をより一層高めることができる。
【００１５】
(5)  好ましくは、上記アロマオイルの上記マイクロカプセル化は、コアセルベーション法により行われている。
【００１６】
(6)  好ましくは、上記第１印刷層は、人生状況に対応する絵画又は写真である画像部分を更に含み、上記複数の印刷物によって構成された複数の頁の少なくとも一部において、見開き一方側の頁には上記記入欄部分が配置されており、見開き他方側の頁には上記画像部分が配置されている。
【００１７】
上記構成によれば、見開き一方側の頁に記入欄部分が配置され、見開き他方側の頁に画像部分が配置されているので、ユーザは、画像部分を見ながら記入欄部分に自分史を記入できる。したがって、ユーザは、より回想を深めることができる。
【００１８】
(7)  好ましくは、上記第１印刷層は、人生状況に対応する絵画又は写真である画像部分を更に含み、上記記入欄部分は、人生の段階及び人生の出来事の少なくとも一方を含む人生状況毎に、上記人生状況に対応する質問文が記載されたものである。
【００１９】
上記構成によれば、ユーザは、人生の段階又は人生の出来事に対応する質問文及び画像を見ながら、記入欄部分に記入できる。質問文により人生の段階又は人生の出来事に関する回想が喚起され、画像により回想の喚起がより強められる。アロマオイルの香り及び回想の双方により脳の活性化が行われるので、より効果的に認知症の予防及び抑制の効果が得られる。
【００２０】
(8)  好ましくは、上記冊子は、上記各印刷物が上記冊子から取り外し可能な程度に上記複数の印刷物が糊付けされることによって綴じられたものである。
【００２１】
上記構成によれば、各印刷物を冊子から取り外して異なるユーザに配布することができる。これにより、複数のユーザが自分史を記載することができる。
【００２２】
(9)  本発明に係る印刷物は、紙媒体と、上記紙媒体の上に配置された第１印刷層と、上記紙媒体又は上記第１印刷層の上に配置され、且つ、上記第１印刷層を被覆する第２印刷層と、を有しており、上記第１印刷層は、自分史を記入するための記入欄部分を含む着色されたインク層であり、上記第２印刷層は、マイクロカプセル化されたアロマオイルを含む透明のインク層である。
【００２３】
上記構成によれば、第１印刷層の上に第２印刷層が配置されているので、ユーザが記入欄部分に自分史を記載するときに当該記入欄部分の上に配置された第２印刷層に、ユーザの手指又は腕が触れる。その結果、第２印刷層内のマイクロカプセルが破壊されて、アロマオイルが放出される。アロマオイルの香りが、匂いを感じる嗅細胞及び記憶を司る海馬を活性化する。したがって、記入欄部分に文章を書くことによって脳が活性化されるだけでなく、その際に放出されるアロマオイルの香りによって嗅細胞及び海馬が活性化されるので、効果的に認知症の予防及び抑制の効果が得られる。また、アロマオイルがマイクロカプセル化されているので、印刷物が使用されない状態でのアロマオイルの放出を防止でき、印刷物が使用されるときにアロマオイルを放出することができる。
【００２４】
(10)  好ましくは、上記第２印刷層は、上記第１印刷層のうちの上記記入欄部分のみを被覆している。
【００２５】
上記構成によれば、ユーザの手指又は腕が触れる可能性が高い記入欄部分のみが、第２印刷層によって被覆されている。そのため、一枚の印刷物に使用されるアロマオイルの量を少なくすることができる。その結果、印刷物の製造コストを低くすることができる。
【００２６】
(11)  好ましくは、複数の上記印刷物を綴じるための穴が少なくとも一つ形成されている。
【００２７】
上記構成によれば、記入欄部分に記入済みの印刷物をバインダーなどに綴じていくことで一冊の自分史を完成させることができる。また、一冊の自分史を完成させる過程において、印刷物の追加や差し替えを容易に行うことができる。
【００２８】
(12)  好ましくは、上記記入欄部分は、上記紙媒体の見開き右側または左側の一方に配置されている。
【００２９】
上記構成によれば、記入欄部分が紙媒体の見開き右側に配置された印刷物を右利きのユーザが使用することによって、紙媒体の見開き左側に記載された情報（例えば絵画や写真など）がユーザの腕によって見えなくなることがないため、ユーザは当該情報を参照しながら記入欄部分に記入することができる。また、記入欄部分が紙媒体の見開き左側に配置された印刷物を左利きのユーザが使用することによって、紙媒体の見開き右側に記載された情報がユーザの腕によって見えなくなることがないため、ユーザは当該情報を参照しながら記入欄部分に記入することができる。
【００３０】
(13)  上記アロマオイルの成分は、ローズマリーの一種であるローズマリーカンファー及びレモンを濃度が２対１の比率で含まれている。
【００３１】
上記構成によるローズマリーカンファーとレモンのブレンド比率のアロマオイルが使用されることによって、認知症に対する効果をより一層高めることができる。
【００３２】
(14)  本発明は、上述した印刷物が複数パッケージングされた印刷物セットとして捉えることもできる。
【発明の効果】
【００３３】
本発明によれば、冊子や印刷物を用いて自分史を作成する作業を通じて、効果的に認知症の予防及び抑制の対策が実現できる。
【図面の簡単な説明】
【００３４】
【図１】図１は、本発明の実施形態に係る冊子１０の全体図である。
【図２】図２は、本発明の実施形態に係る冊子１０の構成図である。
【図３】図３は、８つの人生状況パート１３−２０を示す図である。
【図４】図４は、幼少期パート１３の見開き２頁を示す図である。
【図５】図５は、図４のＶ−Ｖ線断面図である。
【図６】図６は、穴が形成された紙葉１２を示す図である。
【発明を実施するための形態】
【００３５】
以下、本発明の実施形態について説明する。なお、以下に説明される実施形態は本発明の一例にすぎず、本発明の要旨を変更しない範囲で、本発明の実施形態を適宜変更できることは言うまでもない。
【００３６】
［本実施形態に係る冊子１０］
【００３７】
図１、図２が示すように、本発明の実施形態に係る冊子１０は、表紙１１（特許請求の範囲に記載の印刷物の一例）と、５枚の紙葉１２（特許請求の範囲に記載の印刷物の一例）と、を備えている。表紙１１及び５枚の紙葉１２が中綴じにより閉じられて、冊子１０が構成されている。冊子１０は、例えば、ステープラーの針又は糸により綴じられる。なお、冊子の製本の方式としては、中綴じに限定されるものではなく、平綴じ、無線綴じ、又はリング綴じなどの他の方式が採用されてもよい。
【００３８】
図２が示すように、５枚の紙葉１２の両面により、第１頁２１から第２０頁４０までの２０頁の面が構成されている。冊子１０は、８つの人生状況パート１３−２０を備えている。各人生状況パート１３−２０は、冊子１０の見開き２頁に亘っている。各人生状況パート１３−２０は、人生の段階及び人生の出来事を含む人生状況毎に設定されている。人生の段階は、年齢に応じて大まかに区分された年代を示している。人生の出来事は、就業、結婚、出産、育児等の人生における出来事に関連する事項を示している。
【００３９】
図３が示すように、８つの人生状況パート１３−２０は、幼少期パート１３、学生時代パート１４、青年時代パート１５、家族パート１６、仕事パート１７、壮年期パート１８、熟年期パート１９、及び老年期パート２０からなっている。例えば、幼少期パート１３は、冊子１０の第４頁２４及び第５頁２５に設けられており、学生時代パート１４は、冊子１０の第６頁２６及び第７頁２７に設けられている（図２参照）。
【００４０】
図４が示すように、幼少期パート１３は、タイトル４１、質問回答欄４２（特許請求の範囲に記載の記入欄部分の一例）、自由記入欄４３（特許請求の範囲に記載の記入欄部分の一例）、画像部分４４（特許請求の範囲に記載の画像部分の一例）、及び２次元コード４５を備えている。タイトル４１は、見開き左側の第４頁２４の上部に設けられている。質問回答欄４２は、見開き左側の第４頁２４においてタイトル４１の下方に設けられている。自由記入欄４３は、見開き右側の第５頁２５の上部に設けられている。画像部分４４は、見開き右側の第５頁２５の下部に設けられている。２次元コード４５は、見開き右側の第５頁２５の上端部に設けられている。
【００４１】
タイトル４１は、人生状況に対応する内容を示している。図４の幼少期パート１３の場合、タイトル４１として、「幼少期（出生〜小学生）」が記載されている。
【００４２】
質問回答欄４２は、自分史を記入するための記入欄部分であり、５つの質問文４６及び５つの回答欄４７を備えている。各回答欄４７は、各質問文４６に対応して、当該質問文４６の下方に設けられている。質問文４６には、人生状況に対応する質問が記載されている。人生状況が幼少期である場合の質問の１つは、例えば『母が話してくれた昔話などで印象に残っているものはありますか』である。回答欄４７は、本実施形態では、複数の横書き罫線によって構成されている。ユーザは、直上の質問文４６に対する回答を、筆記具を用いて回答欄４７に記入できる。
【００４３】
自由記入欄４３は、本実施形態では、５ｍｍ方眼によって構成されている。５ｍｍ方眼が設けられているので、ユーザが思い出の写真、資料、切り抜き記事等を貼り付ける際に、貼り付け位置をきれいに整えることが可能である。なお、自由記入欄４３に、筆記具による記入が行われてもよい。
【００４４】
画像部分４４は、絵画又は写真であり、人生状況に対応する画像が描かれている。本実施形態では、人生状況が幼少期である場合の画像として、小学校の教室内風景を描いた絵画が描かれている。
【００４５】
２次元コード４５は、マトリックス型２次元コードであり、本実施形態では、ＱＲコード（登録商標）である。２次元コード４５には、通信ネットワーク上に保存された動画に関連づけるための情報が記憶されている。この保存された動画は、人生状況に対応する動画である。この動画は、例えば、小学校の教室内風景を撮影した動画である。ユーザは、スマートフォン等のカメラを搭載した通信機器を用いて、２次元コード４５を読み取ることが可能である。２次元コード４５の読み取りに伴って、この２次元コード４５に対応する動画が通信ネットワークからこの通信機器に読み込まれる。その結果、この通信機器の表示画面に、この２次元コード４５に対応する動画が表示される。
【００４６】
図５が示すように、紙葉１２は、紙媒体５０、第１印刷層５１、及び第２印刷層５２を備えている。第１印刷層５１は、紙媒体５０の上に配置されている。第２印刷層５２は、紙媒体５０又は第１印刷層５１の上に配置され、第１印刷層５１の全体を被覆している。本実施形態では、第２印刷層５２は、紙媒体５０の全面を被覆している。ここで、１つの紙葉１２は、例えば、第３頁２３、第４頁２４、第５頁２５、及び第６頁２６の４頁に亘っている。紙葉１２の各頁２３−２６に、第１印刷層５１及び第２印刷層５２が設けられている。
【００４７】
第１印刷層５１は、着色されたインク層である。第１印刷層５１は、質問回答欄４２、自由記入欄４３、画像部分４４、及び２次元コード４５の少なくとも１つを含んでいる。第１印刷層５１は、オフセット印刷により、紙媒体５０に印刷される。
【００４８】
第２印刷層５２は、透明なインク層である。第２印刷層５２は、マイクロカプセル化されたアロマオイルを含んでいる。ここで、アロマオイルのマイクロカプセル化は、アロマオイルの油滴を高分子の膜により被覆することにより行われている。マイクロカプセル化の製法としては、本実施形態では、コアセルベーション法が使用されているが、他の製法が使用されてもよい。マイクロカプセル化されたアロマオイルは、透明なインク内に溶解されて、マイクロカプセルを含むインクが製造される。このインクが、第１印刷層５１が印刷された紙媒体５０に塗布されることにより、第２印刷層５２が形成される。この第２印刷層５２の形成も、オフセット印刷により行われる。
【００４９】
本実施形態では、第２印刷層５２に含まれるアロマオイルの組成は、表１に記載されている。この組成は、ローズマリーカンファーを含んでいる。ローズマリーカンファーは、ローズマリーの一種であり、特に、香りがシャープで神経への作用が強いことで知られている。
【００５０】
【表１】
2018158565.tif 000003
【００５１】
［本実施形態の作用効果］
【００５２】
本実施形態に係る冊子１０によれば、第１印刷層５１の上に第２印刷層５２が配置されているので、ユーザが質問回答欄４２又は自由記入欄４３に自分史を記載するときに当該質問回答欄４２又は自由記入欄４３の上に配置された第２印刷層５２に、ユーザの手指又は腕が触れる。その結果、第２印刷層５２内のマイクロカプセルが破壊されて、アロマオイルが放出される。アロマオイルの香りが、匂いを感じる嗅細胞及び記憶を司る海馬を活性化する。したがって、質問回答欄４２又は自由記入欄４３に文章を書くことによって脳が活性化されるだけでなく、その際に放出されるアロマオイルの香りによって嗅細胞及び海馬が活性化されるので、効果的に認知症の予防及び抑制の効果が得られる。また、アロマオイルがマイクロカプセル化されているので、冊子１０が使用されない状態でアロマオイルが放出されることがない。したがって、冊子１０を用いて自分史を作成する作業が長期間に亘っても、アロマオイルの香りによる効果が継続して得られる。
【００５３】
また、冊子１０を構成する表紙１１及び紙葉１２のどの部位にユーザが触れても、アロマオイルが放出される。したがって、より効果的に認知症の予防及び抑制の効果が得られる。
【００５４】
また、アロマオイルが、認知症の予防の可能性がある成分を含んでいるので、より効果的に認知症の予防の効果が得られる。
【００５５】
また、見開き一方側の頁に質問回答欄４２が配置され、見開き他方側の頁に画像部分４４が配置されているので、ユーザは、画像部分４４を見ながら質問回答欄４２に自分史を記入できる。したがって、ユーザは、より回想を深めることができる。
【００５６】
また、ユーザは、人生の段階又は人生の出来事に対応する質問文及び画像を見ながら、質問回答欄４２に記入できる。質問文により人生の段階又は人生の出来事に関する回想が喚起され、画像により回想の喚起がより強められる。アロマオイルの香り及び回想の双方により脳の活性化が行われるので、より効果的に認知症の予防及び抑制の効果が得られる。
【００５７】
［変形例］
【００５８】
上記実施形態では、冊子１０は、例えば、ステープラーの針又は糸により綴じられていたが、冊子１０が綴じられる手段は、ステープラーの針や糸に限らない。例えば、冊子１０は、糊によって綴じられていてもよい。
【００５９】
冊子１０が糊によって綴じられている場合、レポート用紙のように、各紙葉１２が冊子１０から取り外し可能であってもよい。つまり、冊子１０は、各紙葉１２が冊子１０から取り外し可能な程度に上記複数の印刷物が糊付けされることによって綴じられたものであってもよい。これにより、各紙葉１２を冊子１０から取り外して異なるユーザに配布することができる。そして、複数のユーザが自分史を記載することができる。
【００６０】
各紙葉１２が糊によって綴じられた冊子１０から取り外し可能である場合、冊子１０を構成する各紙葉１２の内容は、以下に例示するような内容をとり得る。
【００６１】
例えば、冊子１０は、上記実施形態と同様に、８つの人生状況パート１３−２０を備えていてもよい。この場合、冊子１０は、各人生状況パートの紙葉１２を、１枚ずつ含んでいてもよいし複数枚ずつ含んでいてもよい。よって、この場合、冊子１０から取り外された１枚の紙葉１２は、８つの人生状況パート１３−２０のうちのいずれかの人生状況パートである。
【００６２】
また、例えば、冊子１０を構成する紙葉１２の全てが同一の人生状況パートであってもよい。つまり、冊子１０は、同一の人生状況パートである複数枚の紙葉１２を備えていてもよい。この場合、冊子１０からいずれの紙葉１２が取り外された場合であっても、取り外された紙葉１２は、当該同一の人生状況パートである。
【００６３】
また、冊子１０を構成する各紙葉１２は、複数の人生状況パートを含んでいてもよい。例えば、１枚の紙葉１２に、８つの人生状況パート１３−２０の全ての内容が設定されていてもよい。この場合、ユーザは、１枚の紙葉１２に自分の履歴に関する事項を記入していくことで、当該１枚の紙葉１２で自分史を完成させることができる。
【００６４】
上記実施形態では、自分の履歴に関する事項を記入して自分史を作成するための媒体として、表紙１１及び複数の紙葉１２が綴じられた冊子１０が説明された。しかし、当該媒体は、冊子１０に限らない。例えば、当該媒体は、紙媒体５０、第１印刷層５１、及び第２印刷層５２を備えた１枚の紙葉１２であってもよい。この場合、上記の変形例で説明した冊子１０の構成（各紙葉１２が冊子１０から取り外し可能な程度に上記複数の印刷物が糊付けされることによって綴じられた構成）と同様に、１枚の紙葉１２には、１つの人生状況パートの内容が設定されていてもよいし、複数の人生状況パートの内容が設定されていてもよい。
【００６５】
また、上記媒体が１枚の紙葉１２である場合に、複数枚の紙葉１２がパッケージングされていてもよい。つまり、上記媒体は、紙葉１２が複数パッケージングされた紙葉セット（特許請求の範囲に記載の印刷物セットの一例）であってもよい。例えば、複数枚の紙葉１２が束ねられた状態で袋に詰められていてもよい。この場合、ユーザは、自分史を作成する際に、袋から１枚または複数枚の紙葉１２を取り出して、取り出した紙葉１２に自分の履歴に関する事項を記入していく。
【００６６】
上記実施形態に係る冊子１０や、変形例に係る紙葉１２や、変形例に係る紙葉セットでは、アロマオイルを含む第２印刷層５２は、紙媒体５０の全面を被覆している。ここで、第１印刷層５１は、記入欄部分である質問回答欄４２及び自由記入欄４３、及び画像部分４４を含む部位であって、ユーザが手指で触れる可能性の高い部位である。したがって、第２印刷層５２は、第１印刷層５１の全体を被覆していれば、必ずしも紙媒体５０の全面を被覆する必要はない。つまり、第１印刷層５１が形成されていない部位の紙媒体５０の表面には、第２印刷層５２が形成されなくてもよい。また、第１印刷層５１は、記入欄部分（例えば質問回答欄４２及び自由記入欄４３）を含んでいればよく、画像部分４４を含んでいなくてもよい。この場合、第２印刷層５２は、第１印刷層５１である記入欄部分のみを被覆していればよく、必ずしも画像部分４４を被覆する必要はない。第２印刷層５２が記入欄部分のみを被覆するように構成することによって、ユーザの手指又は腕が触れる可能性が高い部分のみを、第２印刷層５２によって被覆することができる。そのため、一枚の紙葉１２に使用されるアロマオイルの量を少なくすることができる。その結果、紙葉１２の製造コストを低くすることができる。
【００６７】
上記実施形態や変形例に係るアロマオイルの成分は、ローズマリーの一種であるローズマリーカンファーを含んでいる。アロマオイルの成分としては、ローズマリー、レモン、ラベンダー、及びオレンジスイートの少なくとも１つを含んでいればよい。例えば、アロマオイルの成分中に、ローズマリーカンファー及びレモンの濃度が２対１の比率で含まれていてもよい。ローズマリーカンファーとレモンの濃度が２対１の比率でであるアロマオイルが使用されることによって、認知症に対する効果をより一層高めることができる。
【００６８】
上記実施形態や変形例に係るアロマオイルのマイクロカプセル化は、物理化学的方法に属するコアセルベーション法により行われている。マイクロカプセル化の製法としては、化学的方法、物理化学的方法、及び機械的方法のいずれの製法が用いられてもよい。化学的方法としては、界面重合法及びｉｎ−ｓｉｔｅ重合法がある。物理化学的方法としては、コアセルベーション法の他に液中乾燥法がある。機械的方法としては、噴霧乾燥法及び乾式混合法がある。
【００６９】
上記実施形態に係る冊子１０や、変形例に係る紙葉１２や、変形例に係る紙葉セットでは、見開き左側の頁に質問回答欄４２が設けられ、見開き右側の頁に自由記入欄４３及び画像部分４４が設けられている。質問回答欄４２、自由記入欄４３、及び画像部分４４の配置は、限定されない。同一頁内に、質問回答欄４２、自由記入欄４３、及び画像部分４４が配置されてもよい。冊子１０に自由記入欄４３が設けられなくてもよい。
【００７０】
上記実施形態に係る冊子１０や、変形例に係る紙葉１２や、変形例に係る紙葉セットでは、見開き右側の頁に記入欄部分（例えば質問回答欄４２及び自由記入欄４３）が設けられ、見開き左側の頁に画像部分４４が設けられていてもよい。このような冊子１０は、右利きのユーザ用として使用されることが好ましい。記入欄部分が紙媒体５０の見開き右側に配置された紙葉１２を右利きのユーザが使用することによって、紙媒体５０の見開き左側に記載された情報（例えば絵画や写真など）がユーザの腕によって見えなくなることがないため、ユーザは当該情報を参照しながら記入欄部分に記入することができる。
【００７１】
逆に、上記実施形態に係る冊子１０や、変形例に係る紙葉１２や、変形例に係る紙葉セットでは、見開き左側の頁に記入欄部分が設けられ、見開き右側の頁に画像部分４４が設けられていてもよい。このような冊子１０は、左利きのユーザ用として使用されることが好ましい。記入欄部分が紙媒体５０の見開き左側に配置された紙葉１２を左利きのユーザが使用することによって、紙媒体５０の見開き右側に記載された情報がユーザの腕によって見えなくなることがないため、ユーザは当該情報を参照しながら記入欄部分に記入することができる。
【００７２】
つまり、本実施形態に係る冊子１０や、変形例に係る紙葉１２や、変形例に係る紙葉セットでは、記入欄部分が、紙葉１２の見開き右側または左側の一方に配置されていてもよい。
【００７３】
変形例に係る紙葉１２や、変形例に係る紙葉セットに含まれる各紙葉１２には、少なくとも１つの穴７０が形成されていてもよい（例えば図６参照）。図６では、紙葉１２の左端部に、２つの穴７０が形成されている。なお、図６に示された紙葉１２は、その左端部に穴７０を備えているが、穴７０が形成される位置は紙葉１２の左端部に限らない。例えば、穴７０は、紙葉１２の上端部や右端部に形成されていてもよい。また、図６に示された紙葉１２は、２つの穴７０を備えているが、穴７０の数は２つ以外でもよい。穴７０は、複数枚の紙葉１２をバインダーなどに綴じるために用いられる。紙葉１２が穴７０を備えることにより、記入欄部分に記入済みの紙葉１２をバインダーなどに綴じていくことで一冊の自分史を完成させることができる。また、一冊の自分史を完成させる過程において、紙葉１２の追加や差し替えを容易に行うことができる。
【符号の説明】
【００７４】
１０・・・冊子
１１・・・表紙（印刷物）
１２・・・紙葉（印刷物）
２４・・・第４頁（見開き左側の頁）
２５・・・第５頁（見開き右側の頁）
２６・・・第６頁（見開き左側の頁）
２７・・・第７頁（見開き右側の頁）
４２・・・質問回答欄（記入欄部分）
４３・・・自由記入欄（記入欄部分）
４４・・・画像部分
４６・・・質問文
５０・・・紙媒体
５１・・・第１印刷層
５２・・・第２印刷層
【図１】
2018158565.tif 000004
【図２】
2018158565.tif 000005
【図３】
2018158565.tif 000006
【図４】
2018158565.tif 000007
【図５】
2018158565.tif 000008
【図６】
2018158565.tif 000009